(57)【要約】 【課題】  表示品位の良好な液晶表示装置を提供する。【解決手段】  マトリクス状に配置された画素電極ＰＥを備えたアレイ基板ＡＲと、カラーフィルタ層ＣＦを備えた対向基板ＣＴと、アレイ基板ＡＲと対向基板ＣＴとの間に保持された液晶層ＬＱと、を備え、カラーフィルタ層ＣＦは、列方向Ｙに並んで配置した複数の画素電極ＰＥと対向するとともに、行方向Ｘに周期的に並んで配置された複数色のカラーフィルタＣＦ（Ｒ、Ｇ、Ｂ）を備え、アレイ基板ＡＲと対向基板ＣＴとの少なくとも一方は、複数色のカラーフィルタＣＦ（Ｒ、Ｇ、Ｂ）の境界と対向した遮光部ＢＭを備え、複数色のカラーフィルタＣＦ（Ｒ、Ｇ、Ｂ）の所定の２色の境界と対向する遮光部ＢＭの行方向Ｘにおける幅は、他の遮光部ＢＭの行方向Ｘにおける幅よりも大きい。【選択図】図１
2014149444.tif 000002
【特許請求の範囲】
【請求項１】
マトリクス状に配置された画素電極を備えたアレイ基板と、
カラーフィルタ層を備えた対向基板と、
前記アレイ基板と前記対向基板との間に保持された液晶層と、を備え、
前記カラーフィルタ層は、列方向に並んで配置した複数の前記画素電極と対向するとともに、行方向に周期的に並んで配置された複数色のカラーフィルタを備え、
前記アレイ基板と前記対向基板との少なくとも一方は、前記複数色のカラーフィルタの境界と対向した遮光部を備え、
前記複数色のカラーフィルタの所定の２色の境界と対向する前記遮光部の前記行方向における幅は、他の遮光部の前記行方向における幅よりも大きい液晶表示装置。
【請求項２】
前記対向基板は前記画素電極と対向した開口が設けられた遮光層を更に備え、
前記遮光部は、前記列方向に延びた前記遮光層の部分を含む請求項１記載の液晶表示装置。
【請求項３】
前記アレイ基板は、前記画素電極が配列する行に沿って配置されたゲート配線と、前記画素電極が配列する列に沿って配置されたソース配線と、前記ゲート配線と前記ソース配線との交差する位置近傍に配置された画素スイッチと、を更に備え、
前記遮光部は前記ソース配線を含む請求項１又は請求項２記載の液晶表示装置。
【請求項４】
前記複数色のカラーフィルタは、赤色カラーフィルタと緑色カラーフィルタと青色カラーフィルタとを含み、
前記所定の２色は赤色と青色である請求項１乃至請求項３のいずれか１項記載の液晶表示装置。
【請求項５】
互いに対向して配置された一対の基板と、前記一対の基板間に保持された液晶層と、マトリクス状に配置された複数の表示画素を含む表示部と、を備え、
前記複数の表示画素は、複数種類の色画素を備え、前記複数種類の色画素は同じ色画素が前記表示画素の配列した列方向に並ぶとともに異なる色画素が前記表示画素の配列した行方向に周期的に並んで配置され、
前記一対の基板の少なくとも一方は、前記異なる色画素の境界に配置された遮光部を備え、
前記複数種類の色画素の所定の２色の境界に配置された前記遮光部の前記行方向における幅は、他の遮光部の前記行方向における幅よりも大きい液晶表示装置。
【発明の詳細な説明】
【技術分野】
【０００１】
本発明の実施形態は、液晶表示装置に関する。
【背景技術】
【０００２】
フラットパネルディスプレイ、例えば、液晶表示装置。液晶表示装置の表示性能は近年において、ＭＶＡ（Multi-domain Vertical Alignment）モード、ＦＦＳ（Fringe Field Switching）モード等の様々な液晶表示モードが開発されたことにより改善され、大画面テレビ、パーソナルコンピュータ、ＦＡ、ＯＡ機器、カーナビゲーションシステム、携帯電話、スマートフォン、タブレットＰＣなどに応用されるに至っている。
【０００３】
例えば、前者のＭＶＡ方式は大画面に渡って高コントラスで均一な表示が得やすく、また比較的高透過率である事から大画面テレビなどの大型機器から携帯通信端末などの小型モバイル機器まで幅広く利用されている。後者のＦＦＳ方式は、さまざまな方向の視角に対してより厳密な階調再現性を実現することが可能であって、ハイエンドな要求に対して好ましい方式である。
【先行技術文献】
【特許文献】
【０００４】
【特許文献１】特開２００９−１６３０６２号公報
【発明の概要】
【発明が解決しようとする課題】
【０００５】
本発明の実施形態は、表示品位の良好な液晶表示装置を提供することを目的とする。
【課題を解決するための手段】
【０００６】
実施形態によれば、マトリクス状に配置された画素電極を備えたアレイ基板と、カラーフィルタ層を備えた対向基板と、前記アレイ基板と前記対向基板との間に保持された液晶層と、を備え、前記カラーフィルタ層は、列方向に並んで配置した複数の前記画素電極と対向するとともに、行方向に周期的に並んで配置された複数色のカラーフィルタを備え、前記アレイ基板と前記対向基板との少なくとも一方は、前記複数色のカラーフィルタの境界と対向した遮光部を備え、前記複数色のカラーフィルタの所定の２色の境界と対向する前記遮光部の前記行方向における幅は、他の遮光部の前記行方向における幅よりも大きい液晶表示装置が提供される。
【図面の簡単な説明】
【０００７】
【図１】図１は、実施形態の液晶表示装置の一構成例を概略的に示す図である。
【図２】図２は、図１に示す液晶表示装置の断面の一例を示す図である。
【図３】図３は、ＸＹ色度図における各色カラーフィルタの設計値の一例を説明するための図である。
【図４】図４は、実施形態の液晶表示装置の他の構成例を概略的に示す図である。
【図５】図５は、比較例の液晶表示装置の断面の一例を示す図である。
【図６】図６は、比較例の液晶表示装置の断面の一例を示す図である。
【発明を実施するための形態】
【０００８】
以下、実施形態の液晶表示装置について、図面を参照して説明する。  
図１は実施形態の液晶表示装置の一構成例を概略的に示す図である。本実施形態の液晶表示装置は、例えばＭＶＡモードの液晶表示装置であって、アレイ基板ＡＲと、対向基板ＣＴと、アレイ基板ＡＲと対向基板ＣＴとの間に保持された液晶層ＬＱと、マトリクス状に配置された表示画素ＰＸを含む表示部ＤＹＰと、を備えた液晶表示パネルＰＮＬを有している。
【０００９】
本実施形態の液晶表示装置はカラー表示タイプの液晶表示装置であって、表示画素ＰＸは複数種類の色画素、例えば、赤色画素ＰＸ（Ｒ）、緑色画素ＰＸ（Ｇ）、及び、青色画素ＰＸ（Ｂ）を備えている。複数種類の色画素は、同じ色画素が表示画素ＰＸの配列した列方向に並ぶとともに、異なる色画素が表示画素の配列した行方向に周期的に並んで配置されている。すなわち、各色画素は、列方向（第２方向Ｙ）に並んで配置している。
【００１０】
アレイ基板ＡＲは、マトリクス状に配置された画素電極ＰＥと、画素電極ＰＥが配列する行方向（第１方向Ｘ）に沿って延びたゲート配線Ｇ（Ｇ１、Ｇ２、Ｇ３、…）と、画素電極ＰＥが配列する列方向（第２方向Ｙ）に沿って延びたソース配線Ｓ（Ｓ１、Ｓ２、Ｓ３、…）と、ゲート配線Ｇとソース配線Ｓとが交差する位置近傍に配置されたスイッチング素子ＳＷと、ゲートドライバＧＤと、ソースドライバＳＤとを備えている。
【００１１】
スイッチング素子ＳＷは、例えば、アモルファスシリコンあるいはポリシリコンにより形成された半導体層を含む薄膜トランジスタである。スイッチング素子ＳＷのゲート電極は、対応するゲート配線Ｇと電気的に接続している（あるいは一体に形成されている）。スイッチング素子ＳＷのソース電極は、対応するソース配線Ｓと電気的に接続している（あるいは一体に形成されている）。スイッチング素子ＳＷのドレイン電極は、対応する画素電極ＰＥと電気的に接続している（あるいは一体に形成されている）。
【００１２】
画素電極ＰＥは、各表示画素ＰＸに配置されている。画素電極ＰＥは、例えばＩＴＯ（indium tin oxide）やＩＺＯ（indium zinc oxide）等の透明導電性材料により形成されている。
【００１３】
ゲートドライバＧＤとソースドライバＳＤとは、表示部ＤＹＰの周囲の領域に配置されている。本実施形態ではゲートドライバＧＤは、ゲート配線Ｇが延びた両端側にそれぞれ配置されている。ゲート配線Ｇは両端がゲートドライバＧＤと電気的に接続している。ソースドライバＳＤは、ソース配線Ｓの一端側に配置されている。ソース配線Ｓは一端がソースドライバＳＤと電気的に接続している。
【００１４】
対向基板ＣＴは、複数の画素電極ＰＥと対向した共通電極ＣＥを有している。共通電極ＣＥには、表示部ＤＹＰの周囲の領域に設けられた共通電極駆動回路（図示せず）から共通電圧が印加される。
【００１５】
共通電極ＣＥは、複数の表示画素ＰＸに渡って配置されている。共通電極ＣＥは、例えばＩＴＯ（indium tin oxide）やＩＺＯ（indium zinc oxide）等の透明導電性材料により形成されている。本実施形態では、共通電極ＣＥの画素電極ＰＥと対向する位置にスリット（図示せず）が設けられている。スリットは、第１方向Ｘに隣接したソース配線Ｓの中間の位置に設けられている。このように共通電極ＣＥにスリットを設けることにより、第１方向Ｘにおけるスリットの一方側と他方側とにおいて液晶分子の配向方向が異なるものとなり、１つの表示画素ＰＸに複数のドメインを形成することができる。
【００１６】
図２は、図１に示す液晶表示装置の断面の一例を示す図である。ここでは、第１方向Ｘおよび法線方向（第１方向Ｘと第２方向Ｙとに直交する第３方向Ｚ）に略平行な平面における断面の一例を示している。
【００１７】
アレイ基板ＡＲは、透明絶縁基板ＳＢ１と、配向膜ＡＬ１とを更に備えている。透明絶縁基板ＳＢ１は、ガラスや樹脂等の透明絶縁性材料により形成されている。透明絶縁基板ＳＢ１の一主面上に、半導体層、ゲート配線Ｇ、絶縁層Ｌ１、ソース配線Ｓ、絶縁層Ｌ２、画素電極ＰＥ、および配向膜ＡＬ１が積層している。
【００１８】
配向膜ＡＬ１は画素電極ＰＥを覆うように配置している。配向膜ＡＬ１の厚さは例えば７０ｎｍである。配向膜ＡＬ１は、ラビング処理や光学配向処理等の配向処理が成されている。配向膜ＡＬ１の材料には、例えば、ポリイミドなどの樹脂を使用することができる。
【００１９】
対向基板ＣＴは、透明絶縁基板ＳＢ２と、遮光部としての遮光層ＢＭと、カラーフィルタＣＦと、配向膜ＡＬ２とを更に備えている。透明絶縁基板ＳＢ２は、ガラスや樹脂等の透明絶縁性材料により形成されている。透明絶縁基板ＳＢ２の一主面上に、遮光層ＢＭ、カラーフィルタＣＦ、オーバーコート層ＯＣ、共通電極ＣＥ、および、配向膜ＡＬ２が積層している。
【００２０】
遮光層ＢＭはソース配線Ｓ対向する位置、すなわち表示画素ＰＸの境界に配置されているとともに、ここでは図示しないがゲート配線Ｇと対向する位置および表示部ＤＹＰを囲む領域に配置している。すなわち、遮光層ＢＭは、画素電極ＰＥと対向する開口を備え、表示部ＤＹＰにおいて格子状に配置されている。遮光層ＢＭは、例えば黒色に着色された樹脂材料により形成されている。
【００２１】
カラーフィルタＣＦは、遮光層ＢＭの上層において遮光層ＢＭの開口に配置されている、カラーフィルタＣＦは、例えば、赤色カラーフィルタＣＦ（Ｒ）と緑色カラーフィルタＣＦ（Ｇ）と青色カラーフィルタＣＦ（Ｂ）とを有している。遮光層ＢＭの開口の各列には、同色のカラーフィルタが配置されている。遮光層ＢＭの開口の各行には、３色のカラーフィルタが所定の周期で並んで配置されている。赤色カラーフィルタＣＦ（Ｒ）は赤色画素ＰＸ（Ｒ）に配置され、赤色の主波長の光を透過する。緑色カラーフィルタＣＦ（Ｇ）は緑色画素ＰＸ（Ｇ）に配置され、緑色の主波長の光を透過する。青色カラーフィルタＣＦ（Ｂ）は青色画素ＰＸ（Ｂ）に配置され、青色の主波長の光を透過する。カラーフィルタＣＦは、例えば各色に着色された樹脂材料により形成されている。
【００２２】
オーバーコート層ＯＣは、カラーフィルタＣＦを覆っている。オーバーコート層ＯＣは、カラーフィルタＣＦの表面の凹凸の影響を緩和する。オーバーコート層ＯＣ上には共通電極ＣＥが配置されている。
【００２３】
共通電極ＣＥは配向膜ＡＬ２により覆われている。配向膜ＡＬ２はオーバーコート層ＯＣおよび共通電極ＣＥを覆っている。配向膜ＡＬ２の厚さは例えば７０ｎｍである。配向膜ＡＬ２は、ラビング処理や光学配向処理等の配向処理が成されている。配向膜ＡＬ２の材料には、例えば、ポリイミドなどの樹脂を使用することができる。
【００２４】
透明絶縁基板ＳＢ１および透明絶縁基板ＳＢ２の外側には一対の偏光板（図示せず）が取り付けられている。アレイ基板ＡＲの偏光板と対向基板ＣＴの偏光板とは例えば透過軸が直交するように配置されている。
【００２５】
アレイ基板ＡＲと対向基板ＣＴとは、セルギャップ（第３方向Ｚの距離）が略３．８μｍとなるように貼り合せられている。アレイ基板ＡＲと対向基板ＣＴとの間には、ネガ型液晶が注入されている。
【００２６】
近年、液晶表示装置に対する高精細化の要求が高まってきている。例えば画素ピッチが２０μｍ以上３０μｍ以下の液晶表示装置が要求されている。そこで、高精細化に伴い遮光層ＢＭの幅を小さくすると、アレイ基板ＡＲと対向基板ＣＴとを貼り合せるときの位置ずれにより、隣接する表示画素ＰＸの色が混ざって視認されることがあり、表示品位の低下の原因となることがあった。
【００２７】
例えば、赤、緑、青のいずれかを単色表示した状態で法線方向Ｚに対して傾いた方向から表示部ＤＹＰを見たとき、隣接する表示画素ＰＸの色が混ざって視認される視角混色が生じることがあった。
【００２８】
このような視角混色を回避するために、例えばソース配線Ｓと対向した遮光層ＢＭの第１方向Ｘの幅を一様に大きくすると、遮光層ＢＭの開口部の面積が小さくなるため、十分な開口率を確保することができず、輝度が低下する場合があった。
【００２９】
そこで、本実施形態では、混色した際にユーザに特に違和感を与える２色を特定し、この２色が隣り合う境界に配置した遮光部の第１方向Ｘにおける幅を大きくしている。
【００３０】
図３は、ＸＹ色度図における各色カラーフィルタの設計値の一例を説明するための図である。Ｘ軸は、座標が大きくなるほど赤みの比率が増加し、座標が小さくなるほど青みの比率が増加する。すなわち、Ｘ軸の座標は赤色と青色との混色比率を表す。Ｙ軸は、座標が大きくなるほど緑みの比率が増加し、座標が小さくなるほど青みの比率が増加する。すなわち、Ｘ軸の座標は緑色と青色との混色比率を表す。
【００３１】
従って、例えば各色カラーフィルタの設計値をＸＹ色度図上で示し、それぞれの座標間の距離を比較したときに、最も離れている色同士が混じったときに、互いに混色比率が大きく異なる色同士が混じることとなり、ユーザに与える違和感も大きくなるものと考えられる。
【００３２】
図３では、一例として、赤色カラーフィルタＣＦ（Ｒ）と青色カラーフィルタＣＦ（Ｂ）との設計値の座標が他の座標間よりも離れている場合を示している。この場合、赤色と青色とが混色したときに最もユーザに違和感を与えることになる。
【００３３】
上記考察に鑑みて、本実施形態では、例えば赤色画素ＰＸ（Ｒ）と青色画素ＰＸ（Ｂ）との境界に跨って配置されたソース配線Ｓと対向した遮光層ＢＭの第１方向Ｘにおける幅を、他の遮光層ＢＭよりも大きくしている。
【００３４】
本実施形態では、赤色画素ＰＸ（Ｒ）と青色画素ＰＸ（Ｂ）との間に配置されたソース配線Ｓと対向した遮光層ＢＭの第１方向Ｘにおける幅は、例えば、略７．０μｍである。赤色画素ＰＸ（Ｒ）と緑色画素ＰＸ（Ｇ）との間に配置されたソース配線Ｓと対向した遮光層ＢＭ、および、緑色画素ＰＸ（Ｇ）と青色画素ＰＸ（Ｂ）との間に配置されたソース配線Ｓと対向した遮光層ＢＭの第１方向Ｘにおける幅は、例えば、略５．０μｍである。
【００３５】
上記のように、赤色画素ＰＸ（Ｒ）の列と青色画素ＰＸ（Ｂ）の列との間に配置された遮光層ＢＭの第１方向Ｘにおける幅を、他の色画素列間に配置された遮光層ＢＭの第１方向Ｘにおける幅よりも大きくすることにより、視角混色が生じた際にユーザに与える違和感を緩和することができる。
【００３６】
図５は、第１比較例の液晶表示装置の断面の一例を示す図である。
【００３７】
この例では、色画素列間に配置された遮光層ＢＭの第１方向Ｘにおける幅が一様であって、略５．０μｍであること以外は、上述の実施形態の液晶表示装置と同様である。
【００３８】
この比較例にかかる液晶表示装置の、アレイ基板ＡＲと対向基板ＣＴとを貼り合せるときに位置ずれが生じた場合、第３方向Ｚおよび第１方向Ｘに対して４５度傾いた方向から表示部ＤＹＰを見ると、視角混色が生じたが十分な透過率を得ることができた。
【００３９】
図６は、第２比較例の液晶表示装置の断面の一例を示す図である。
【００４０】
この例では、色画素列間に配置された遮光層ＢＭの第１方向Ｘにおける幅が一様であって、略７．０μｍであること以外は、上述の実施形態の液晶表示装置と同様である。
【００４１】
この比較例にかかる液晶表示装置の、アレイ基板ＡＲと対向基板ＣＴとを貼り合せるときに位置ずれが生じた場合、第３方向Ｚおよび第１方向Ｘに対して４５度傾いた方向から表示部ＤＹＰをみると、視角混色は生じなかったが第１比較例の液晶表示装置に比べて透過率が低下した。例えば、第１比較例の液晶表示装置の透過率を１．００とした場合、第２比較例の液晶表示装置の透過率は０．８５であった。
【００４２】
これらの比較例にかかる液晶表示装置に対し、本実施形態の液晶表示装置について、アレイ基板ＡＲと対向基板ＣＴとを貼り合せるときに位置ずれが生じた場合、第３方向Ｚおよび第１方向Ｘに対して４５度傾いた方向から表示部ＤＹＰをみると、視角混色は生じなかった。また、例えば、第１比較例の液晶表示装置の透過率を１．００とした場合、本実施形態の液晶表示装置の透過率は０．９５であり、第２比較例の液晶表示装置よりも高い透過率を得ることができた。
【００４３】
上記のように、本実施形態によれば、表示品位の良好な液晶表示装置を提供することができる。
【００４４】
なお、上記のように、特定の２色の色画素列間に配置された遮光層ＢＭの第１方向Ｘにおける幅を大きくすると、遮光層ＢＭの開口部の面積が一様でなくなるため、ホワイトバランスが崩れてしまうことがある。そのため、例えば赤色画素ＰＸ（Ｒ）の列と青色画素ＰＸ（Ｂ）の列との間に配置された遮光層ＢＭの第１方向Ｘにおける幅を大きくする場合には、緑色カラーフィルタＣＦ（Ｇ）の色を基準として、赤色カラーフィルタＣＦ（Ｒ）と青色カラーフィルタＣＦ（Ｂ）との色を濃くし、ホワイトバランスを調整してもよい。このようにホワイトバランスを調整することにより、より良好な表示品位の液晶表示装置を提供することができる。
【００４５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００４６】
図４は、実施形態の液晶表示装置の他の構成例を概略的に示す図である。
【００４７】
この例では、遮光層ＢＭの第１方向Ｘにおける幅は一様であるが、ソース配線Ｓの幅が異なっている。すなわち、上述の実施形態と同様にカラーフィルタＣＦに含まれる色の中で、混色した際にユーザに最も違和感を与える２色を特定し、その２色の色画素列間に配置されたソース配線Ｓの第１方向Ｘにおける幅を大きくしている。図４に示す例では、一例として赤色画素ＰＸ（Ｒ）の列と青色画素ＰＸ（Ｂ）の列との間に配置されたソース配線Ｓの第１方向Ｘにおける幅を大きくしている。
【００４８】
上記の場合、色画素列間に配置されたソース配線Ｓは遮光部であって、視角混色が生じた際にユーザに与える違和感を緩和し、表示品位の良好な液晶表示装置を提供することができる。
【００４９】
更に、上述の実施形態と図４に示す例とを組み合わせて、赤色画素ＰＸ（Ｒ）の列と青色画素ＰＸ（Ｂ）の列との間に配置されたソース配線Ｓと遮光層ＢＭとの両方の第１方向Ｘにおける幅を大きくしてもよい。その場合であっても上述の実施形態と同様の効果を得ることができる。
【００５０】
また、上記実施形態では、一例として赤色画素ＰＸ（Ｒ）の列と青色画素ＰＸ（Ｂ）の列との間に配置された遮光層ＢＭの第１方向Ｘにおける幅を大きくしたが、幅を大きくする遮光層ＢＭの位置は上記の例に限定されるものではない。カラーフィルタＣＦの設計に応じて、混色した際にユーザに最も違和感を与える２色を特定し、その２色の色画素列の間に配置された遮光層ＢＭの第１方向Ｘにおける幅を大きくすることにより上述の実施形態と同様の効果を得ることができる。
【００５１】
また、上記実施形態では、混色した際にユーザに最も違和感を与える２色を特定し、その２色の色画素列間に配置された遮光層ＢＭの幅のみを大きくしているが、カラーフィルタに含まれる複数色の組み合わせによりユーザに与える違和感の大きさに応じて段階的に遮光層ＢＭの幅を変化させてもよい。
【００５２】
例えば赤色と青色とが混色したときが最もユーザに与える違和感が大きく、緑色と赤色とが混色したとき、緑色と青色とが混色したときの順にユーザに与える違和感が小さくなる場合、赤色画素列と青色画素列との間の遮光層の幅を最も大きくし、緑色画素列と赤色画素列との間の遮光層の幅、緑色画素列と青色画素列との間の遮光層の幅の順に遮光層の幅を段階的に小さくしてもよい。その場合でも上述の実施形態と同様の効果を得ることができる。
【００５３】
また、上記実施形態では、ＭＶＡモードの液晶表示装置の例を説明しているが、液晶の表示モードはＭＶＡモードに限定されるものではない。上述の実施形態は、カラー表示タイプの液晶表示装置であれば表示モードにかかわらず適用することが可能である。
【符号の説明】
【００５４】
ＡＲ…アレイ基板、ＣＴ…対向基板、ＬＱ…液晶層、ＰＸ…表示画素、ＤＹＰ…表示部、ＰＮＬ…液晶表示パネル、ＰＸ（Ｒ）…赤色画素、ＰＸ（Ｇ）…緑色画素、ＰＸ（Ｂ）…青色画素、ＰＥ…画素電極、Ｇ…ゲート配線、Ｓ…ソース配線、ＳＷ…スイッチング素子、ＧＤ…ゲートドライバ、ＳＤ…ソースドライバ、ＣＥ…共通電極、Ｘ…第１方向（行方向）、Ｙ…第２方向（列方向）、Ｚ…第３方向（法線方向）、ＢＭ…遮光層、ＣＦ…カラーフィルタ、ＣＦ（Ｒ）…赤色カラーフィルタ、ＣＦ（Ｇ）…緑色カラーフィルタ、ＣＦ（Ｂ）…青色カラーフィルタ、ＯＣ…オーバーコート層。
【図１】
2014149444.tif 000003
【図２】
2014149444.tif 000004
【図３】
2014149444.tif 000005
【図４】
2014149444.tif 000006
【図５】
2014149444.tif 000007
【図６】
2014149444.tif 000008